(57)【要約】【課題】記録されたシリアルＮｏ．順にカードを並べておくことが容易にできる。【解決手段】シリアルＮｏ．をカードに記録するとともに、該シリアルＮｏ．に対応するマークをカード端部に付けることを特徴とするカード識別管理方法。例えば、カード表面の上端部の四隅Ｒに掛からない部分を仮に等分に分けた場合に得られる複数の領域を想定し、ｎを正の整数として、ｎ＝１枚目のカードには、ｎ＝１番目のシリアルＮｏ．を記録するとともに、左端の領域を印刷してマークを付け、ｎ＋１枚目のカードには、ｎ＋１番目のシリアルＮｏ．を記録するとともに、ｎ枚目のカードに印刷した領域が右端の領域でない場合、ｎ枚目のカードに印刷した領域の右隣の領域を印刷してマークとを付け、ｎ枚目のカードに印刷した領域が右端の領域である場合、左端の領域を印刷してマークを付ける。【選択図】図２
2017196840.tif 000002
【特許請求の範囲】
【請求項１】
シリアルＮｏ．をカードに記録するとともに、該シリアルＮｏ．に対応するマークをカード端部に付けることを特徴とするカード識別管理方法。
【請求項２】
前記シリアルＮｏ．に対応するマークをカード端部に付けることは、カード表面の上端部の四隅Ｒに掛からない部分を仮に等分に分けた場合に得られる複数の領域の中のいずれか１つの領域を印刷してマークを付けることであって、
ｎを正の整数として、ｎ＝１枚目のカードには、ｎ＝１番目のシリアルＮｏ．を記録するとともに、左端の領域を印刷してマークを付け、ｎ＋１枚目のカードには、ｎ＋１番目のシリアルＮｏ．を記録するとともに、ｎ枚目のカードに印刷した領域が右端の領域でない場合、ｎ枚目のカードに印刷した領域の右隣の領域を印刷してマークを付け、ｎ枚目のカードに印刷した領域が右端の領域である場合、左端の領域を印刷してマークを付けることを特徴とする請求項１記載のカード識別管理方法。
【請求項３】
前記マークは、透明であり、特定の波長の光で発光することを特徴とする請求項１又は２に記載のカード識別管理方法。
【請求項４】
シリアルＮｏ．が記録されているとともに、該シリアルＮｏ．に対応するマークを端部に有することを特徴とするカード。
【請求項５】
前記シリアルＮｏ．に対応するマークを端部に有することは、カード表面の上端部の四隅Ｒに掛からない部分を仮に等分に分けた場合に得られる複数の領域の中のいずれか１つの領域にマークを有することであって、
ｎを正の整数として、ｎ＝１番目のシリアルＮｏ．が記録されているならば、左端の領域にマークを有し、ｎ＋１番目のシリアルＮｏ．が記録されているならば、ｎ番目のシリアルＮｏ．が記録されているカードのマークを有する領域が右端の領域でない場合、ｎ番目のシリアルＮｏ．が記録されているカードのマークを有する領域の右隣の領域にマークを有し、ｎ番目のシリアルＮｏ．を記録したカードのマークを有する領域が右端の領域である場合、左端の領域にマークを有することを特徴とする請求項４記載のカード。
【請求項６】
前記マークは、透明であり、特定の波長の光で発光することを特徴とする請求項４又は５に記載のカード。
【発明の詳細な説明】
【技術分野】
【０００１】
本発明は、カード識別管理方法及びカードに関する。
【背景技術】
【０００２】
一般に、シリアルＮｏ．を何らかの方法で記録されシリアルＮｏ．順に並んでいるカードの順番を、検査、梱包、納入まで、崩さないようにしなければならない業務がある。
【０００３】
シリアルＮｏ．を印字によりカードの表面に記録後、例えば、印字されたシリアルＮｏ．が正しく印字されているか、カスレ、欠けが無いかを検査しなければならないが、カードの順番を崩してはならない場合、主に下記の２つの方法でカードの順番を崩さないよう対応している。
【０００４】
第１の方法は、番号検査機により、カード表面を撮影して得られた画像データでシリアルＮｏ．が正しく印字されているかを確認する（例えば特許文献１参照）。
【０００５】
第２の方法は、作業者が目視で検査（以後、目視検査と云う）を行い、その際、カードの順番が崩れないように作業方法（手順）を決めて対応する。
【０００６】
番号検査機による検査の場合、文字として判読できるか否かの判断になる微妙なカスレや欠けは、判断することができない場合がある。
【０００７】
また、番号検査機による検査時はカードの順番を維持しているが、検査後、何らかの理由で誰かがカードの順番を変えてしまうと、順番を変えたことを見つけることができない。
【０００８】
目視検査の場合は、作業者の作業手順の正確さ、注意力に頼る必要があり、間違いが起きる可能性が少なくなく、また番号検査機による検査と同様、検査後、何らかの理由で誰かがカードの順番を変えてしまうと、順番を変えたことを見つけることができない。
【０００９】
従来のほとんどの検査は、作業者の目視によるもので、この場合の番号確認は、見間違い、見落としのリスクがあり、また手作業になるため、カードを傷付けたり、汚したりするリスクもある。
【００１０】
更には印字されたシリアルＮｏ．にチェックデジットが付与されている場合や特定の固有番号が付与されている場合、末尾の数字の連続性がないため、目視での判断が困難になり、間違えるリスクが増大する。
【００１１】
また、シリアルＮｏ．をカード表面に印字せずＩＣチップのメモリや磁気テープ等の記録媒体に記録する場合のように、シリアルＮｏ．が番号検査機や目視で確認できない場合、シリアルＮｏ．記録後、何らかの理由で誰かがカードの順番を変えてしまうと、順番を変えたことを見つけることができず、カードを崩さないよう作業する以外に方法がなかった。
【００１２】
このため、作業負荷が大きく、管理の信頼性も低くなる可能性があった。
【先行技術文献】
【特許文献】
【００１３】
【特許文献１】特開平７−２４３９８７号公報
【発明の概要】
【発明が解決しようとする課題】
【００１４】
本発明は、このような事情を考慮してなされたもので、記録されたシリアルＮｏ．順にカードを並べておくことが容易にできることを課題とする。
【課題を解決するための手段】
【００１５】
本発明において上記課題を解決するために、まず請求項１の発明では、
シリアルＮｏ．をカードに記録するとともに、該シリアルＮｏ．に対応するマークをカード端部に付けることを特徴とするカード識別管理方法としたものである。
【００１６】
また、請求項２の発明では、
前記シリアルＮｏ．に対応するマークをカード端部に付けることは、カード表面の上端部の四隅Ｒに掛からない部分を仮に等分に分けた場合に得られる複数の領域の中のいずれか１つの領域を印刷してマークを付けることであって、
ｎを正の整数として、ｎ＝１枚目のカードには、ｎ＝１番目のシリアルＮｏ．を記録するとともに、左端の領域を印刷してマークを付け、ｎ＋１枚目のカードには、ｎ＋１番目のシリアルＮｏ．を記録するとともに、ｎ枚目のカードに印刷した領域が右端の領域でない場合、ｎ枚目のカードに印刷した領域の右隣の領域を印刷してマークを付け、ｎ枚目のカードに印刷した領域が右端の領域である場合、左端の領域を印刷してマークを付けることを特徴とする請求項１記載のカード識別管理方法としたものである。
【００１７】
また、請求項３の発明では、
前記マークは、透明であり、特定の波長の光で発光することを特徴とする請求項１又は２に記載のカード識別管理方法としたものである。
【００１８】
また、請求項４の発明では、
シリアルＮｏ．が記録されているとともに、該シリアルＮｏ．に対応するマークを端部に有することを特徴とするカードとしたものである。
【００１９】
また、請求項５の発明では、
前記シリアルＮｏ．に対応するマークを端部に有することは、カード表面の上端部の四隅Ｒに掛からない部分を仮に等分に分けた場合に得られる複数の領域の中のいずれか１つの領域にマークを有することであって、
ｎを正の整数として、ｎ＝１番目のシリアルＮｏ．が記録されているならば、左端の領域にマークを有し、ｎ＋１番目のシリアルＮｏ．が記録されているならば、ｎ番目のシリアルＮｏ．が記録されているカードのマークを有する領域が右端の領域でない場合、ｎ番目のシリアルＮｏ．が記録されているカードのマークを有する領域の右隣の領域にマークを有し、ｎ番目のシリアルＮｏ．を記録したカードのマークを有する領域が右端の領域である場合、左端の領域にマークを有することを特徴とする請求項４記載のカードとしたものである。
【００２０】
また、請求項６の発明では、
前記マークは、透明であり、特定の波長の光で発光することを特徴とする請求項４又は５に記載のカードとしたものである。
【発明の効果】
【００２１】
請求項１及び４の発明は、カードに記録されたシリアルＮｏ．に対応しているカード端
部のマークを見れば、記録されたシリアルＮｏ．順にカードが並んでいるか否かを容易に確認できるという効果がある。
【００２２】
請求項２及び５の発明は、カードを、シリアルＮｏ．順に箱に入れて上から見ると、図３に示すように、マークが直線状に並び、逆に、複数のカードを箱に入れて上から見たとき、マークの直線性が崩れていれば、カードがシリアルＮｏ．順に箱に入れられていないことになるので、この上から見てマークが直線状に並んでいるか否かで、容易にカードがシリアルＮｏ．順に入っているか否かを確認することができるという効果がある。
【００２３】
請求項３及び６の発明は、カードの端部に特定の波長の光を当てれば、マークが見れるようになり、カードの端部に目視可能な印刷ができない制約がある場合でも、記録されたシリアルＮｏ．順にカードが並んでいるか否かを容易に確認できるという効果がある。
【００２４】
このように、本願発明は、記録されたシリアルＮｏ．順にカードが並んでいるか否かを容易に確認できるので、記録されたシリアルＮｏ．順にカードを並べておくことが容易にできるという効果がある。
【図面の簡単な説明】
【００２５】
【図１】カード表面の上端部の四隅Ｒに掛からない部分を仮に４０等分に分けた場合に得られる４０の領域を示す図。
【図２】カードに記録するシリアルＮｏ．に対応するマークをカード表面の上端部の四隅Ｒに掛からない部分に付ける方法の一例を説明する図。
【図３】記録されているシリアルＮｏ．に対応するマークをカード表面の上端部の四隅Ｒに掛からない部分に有するカードをシリアルＮｏ．順に箱に入れて上から見たときの図。
【発明を実施するための形態】
【００２６】
以下に、本発明の一実施形態を説明する。
【００２７】
本発明のカード識別管理方法は、シリアルＮｏ．をカードに記録するとともに、該シリアルＮｏ．に対応するマークをカード端部に付けるものである。
【００２８】
シリアルＮｏ．のカードへの記録は、カード表面に印字することで記録するか、カードが備えるＩＣチップのメモリや磁気テープ等の記録媒体に記録するかのいずれか、或いは、双方を行うことでなされる。
【００２９】
以下に、本発明のカード識別管理方法の一例を説明する。
【００３０】
まず、図１に示すように、カード表面の上端部の四隅に掛からない部分を仮に等分に分けた場合に得られる複数の領域を想定する。図１に示す例では、カード表面の上端部の四隅に掛からない部分を仮に４０等分に分けた場合に得られる４０個の領域を想定した例であって、実際には、カードに点線も番号もない。
【００３１】
そして、図２に示すように、１枚目のカードに、１番目のシリアルＮｏ．を記録するとともに、左端の領域にプリンターで印刷してマークを付ける。
【００３２】
次に、図２に示すように、２枚目のカードに、２番目のシリアルＮｏ．を記録するとともに、１枚目のカードに印刷した領域の右隣の領域にプリンターで印刷してマークを付け
る。
【００３３】
次に、図２に示すように、３枚目のカードに、３番目のシリアルＮｏ．をカードに記録するとともに、２枚目のカードに印刷した領域の右隣の領域にプリンターで印刷してマークを付けるというように、ｎを正の整数としたとき、ｎ＋１枚目のカードに、ｎ＋１番目のシリアルＮｏ．を記録するとともに、ｎ枚目のカードに印刷した領域の右隣の領域にプリンターで印刷してマークを付けることを、ｎ枚目のカードに印刷した領域が、右端の領域になるまで、ｎ＝１からはじめて、ｎに１ずつ足して繰り返す。
【００３４】
そして、ｎ枚目のカードに印刷した領域が、右端の領域である場合、ｎ＋１枚目のカードに、ｎ＋１番目のシリアルＮｏ．を記録するとともに、左端の領域にプリンターで印刷してマークを付ける。
【００３５】
図２に示す例では、図１に示す例のように、カード表面の上端部の四隅に掛からない部分を仮に４０等分に分けた場合に得られる４０個の領域を想定しているので、４０枚目のカードに、４０番目のシリアルＮｏ．を記録するとともに、右端の領域にプリンターで印刷してマークを付け、４１枚目のカードに、４１番目のシリアルＮｏ．を記録するとともに、左端の領域にプリンターで印刷してマークを付けている。
【００３６】
以後、同様にして、順次、右隣の領域を印刷してマークを付け、右端の領域を印刷してマークを付けたら、再び、左端の領域を印刷してマークを付けることを繰り返す。
【００３７】
このように、本発明のカード識別管理方法の一例は、ｎを正の整数として、ｎ＝１枚目のカードに、ｎ＝１番目のシリアルＮｏ．を記録するとともに、左端の領域を印刷してマークを付け、ｎ＋１枚目のカードに、ｎ＋１番目のシリアルＮｏ．を記録するとともに、ｎ枚目のカードに印刷した領域が右端の領域でない場合、ｎ枚目のカードに印刷した領域の右隣の領域を印刷してマークを付け、ｎ枚目のカードに印刷した領域が右端の領域である場合、左端の領域を印刷してマークを付けるものである。
【００３８】
本発明のカード識別管理方法の一例によって、シリアルＮｏ．が記録されるとともに、該シリアルＮｏ．に対応するマークが表面の端部に付けられたカードを、シリアルＮｏ．順に箱に入れて上から見ると、図３に示すように、マークが直線状に並び、逆に、複数のカードを箱に入れて上から見たとき、マークの直線性が崩れていれば、カードがシリアルＮｏ．順に箱に入れられていないことになるので、この上から見てマークが直線状に並んでいるか否かで、目視で容易にカードがシリアルＮｏ．順に入っているか否かを確認することができる。
【００３９】
カードの端部に目視可能な印刷ができない制約がある場合は、例えば透明性があり、特定の波長に対して発光する印刷インキ、例えば蛍光インキを使用しても良い。
【００４０】
その場合、マークは透明であるが、ブラックライトを用いて特定の波長の光を、カードの端部に当てることで、マークを確認することができる。
【図１】
2017196840.tif 000003
【図２】
2017196840.tif 000004
【図３】
2017196840.tif 000005